【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
オーバージエアで、アップリンク送信のために実施すべきリッスンビフォアトーク（ＬＢＴ）プロシージャの少なくとも１つのタイプを示す情報を受信することと、ここにおいて、前記アップリンク送信のために実施すべきＬＢＴプロシージャの前記少なくとも１つのタイプを示す前記情報は、前記アップリンク送信の持続時間が、ネットワークアクセスデバイスによって共有スペクトルが予約済みである最大チャネル占有時間内であるかどうかを示す、
前記受信された情報から、前記アップリンク送信のために実施すべきＬＢＴプロシージャの前記少なくとも１つのタイプを識別することと、
前記共有スペクトルのために、前記アップリンク送信のためのＬＢＴプロシージャの前記少なくとも１つのタイプを実施することと、
を備える、方法。
【請求項２】
前記アップリンク送信のためのアップリンク許可を受信することをさらに備え、
ここにおいて、前記アップリンク送信のために実施すべきＬＢＴプロシージャの前記少なくとも１つのタイプを示す前記情報が、前記アップリンク許可中で受信された少なくとも１ビットを備える、
請求項１に記載の方法。
【請求項３】
前記アップリンク送信のために実施すべきＬＢＴプロシージャの前記少なくとも１つのタイプを示す前記情報は、ネットワークアクセスデバイスによって前記共有スペクトルが予約済みであり、アップリンク送信のために利用可能である最大チャネル占有時間の部分の持続時間を示す、請求項１に記載の方法。
【請求項４】
前記共有スペクトルへのアクセスを求めて競合するためにＬＢＴプロシージャを実施するとき、ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために使用されるべき第２のＬＢＴ優先度クラス、またはそれらの組合せを含む少なくとも１つのＬＢＴ優先度クラスの少なくとも１つの指示を受信することをさらに備える、請求項１に記載の方法。
【請求項５】
少なくとも１つのＬＢＴ優先度クラスのために使用すべき競合ウィンドウサイズの少なくとも１つの指示を受信することと、
前記共有スペクトルのためにＬＢＴプロシージャを実施するためのＬＢＴ優先度クラスを選択することと、
前記選択されたＬＢＴ優先度クラスに対応する競合ウィンドウサイズの指示に少なくとも部分的に基づいて、前記ＬＢＴプロシージャのための競合ウィンドウをサイズ決定することと、
をさらに備える、請求項１に記載の方法。
【請求項６】
前記アップリンク送信のために実施すべきＬＢＴプロシージャの少なくとも１つのタイプを示す前記情報が、前記アップリンク送信のために実施すべきマルチキャリアＬＢＴプロシージャのタイプの指示を備える、請求項１に記載の方法。
【請求項７】
ユーザ機器（ＵＥ）におけるワイヤレス通信のための装置であって、
オーバージエアで、アップリンク送信のために実施すべきリッスンビフォアトーク（ＬＢＴ）プロシージャの少なくとも１つのタイプを示す情報を受信するための手段と、ここにおいて、前記アップリンク送信のために実施すべきＬＢＴプロシージャの前記少なくとも１つのタイプを示す前記情報は、前記アップリンク送信の持続時間が、ネットワークアクセスデバイスによって共有スペクトルが予約済みである最大チャネル占有時間内であるかどうかを示す、
前記受信された情報から、前記アップリンク送信のために実施すべきＬＢＴプロシージャの前記少なくとも１つのタイプを識別するための手段と、
前記共有スペクトルのために、前記アップリンク送信のためのＬＢＴプロシージャの前記少なくとも１つのタイプを実施するための手段と、
を備える、装置。
【請求項８】
ネットワークアクセスデバイスにおけるワイヤレス通信のための方法であって、
共有スペクトル中でユーザ機器（ＵＥ）のアップリンク送信をスケジュールすることと、
オーバージエアで、前記アップリンク送信のために実施すべきリッスンビフォアトーク（ＬＢＴ）プロシージャの少なくとも１つのタイプを示す情報を送信することと、ここにおいて、前記アップリンク送信のために実施すべきＬＢＴプロシージャの前記少なくとも１つのタイプを示す前記情報は、前記アップリンク送信の持続時間が、ネットワークアクセスデバイスによって前記共有スペクトルが予約済みである最大チャネル占有時間内であるかどうかを示す、
を備える、方法。
【請求項９】
前記共有スペクトルへのアクセスを求めて競合するためにＬＢＴプロシージャを実施するとき、前記ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために前記ＵＥによって使用されるべき第２のＬＢＴ優先度クラス、またはそれらの組合せを含む少なくとも１つのＬＢＴ優先度クラスの少なくとも１つの指示を送信すること、
をさらに備える、請求項８に記載の方法。
【請求項１０】
少なくとも１つのＬＢＴ優先度クラスのために使用すべき競合ウィンドウサイズの少なくとも１つの指示を送信すること、
をさらに備える、請求項８に記載の方法。
【請求項１１】
前記アップリンク送信の受信を検出することと、
前記アップリンク送信のための巡回冗長検査（ＣＲＣ）を復号することに失敗することと、
前記アップリンク送信のための前記ＣＲＣを復号することに失敗することに少なくとも部分的に基づいて、前記共有スペクトルへのアクセスを求めて競合するために次のＬＢＴプロシージャのための競合ウィンドウサイズを更新することと、
をさらに備える、請求項８に記載の方法。
【請求項１２】
前記アップリンク送信が複数送信時間間隔（ＴＴＩ）アップリンク送信を備え、前記方法が、
前記複数ＴＴＩアップリンク送信のための複数ＴＴＩアップリンク許可を送信することと、
前記複数ＴＴＩアップリンク送信の少なくとも１つのＴＴＩ中に前記複数ＴＴＩアップリンク送信の受信を検出することと、
前記複数ＴＴＩアップリンク送信の前記少なくとも１つのＴＴＩ中に前記複数ＴＴＩアップリンク送信の受信を検出することに少なくとも部分的に基づいて、前記共有スペクトルへのアクセスを求めて競合するために次のＬＢＴプロシージャのための競合ウィンドウサイズを更新することを控えることと、
をさらに備える、請求項８に記載の方法。
【請求項１３】
前記アップリンク送信のために実施すべきマルチキャリアＬＢＴプロシージャのタイプの指示を送信すること、
をさらに備える、請求項８に記載の方法。
【請求項１４】
ネットワークアクセスデバイスにおけるワイヤレス通信のための装置であって、
共有スペクトル中でユーザ機器（ＵＥ）のアップリンク送信をスケジュールするための手段と、
オーバージエアで、前記アップリンク送信のために実施すべきリッスンビフォアトーク（ＬＢＴ）プロシージャの少なくとも１つのタイプを示す情報を送信するための手段と、ここにおいて、前記アップリンク送信のために実施すべきＬＢＴプロシージャの前記少なくとも１つのタイプを示す前記情報は、前記アップリンク送信の持続時間が、ネットワークアクセスデバイスによって前記共有スペクトルが予約済みである最大チャネル占有時間内であるかどうかを示す、
を備える、装置。
【請求項１５】
実行されたとき、請求項１〜６または８〜１３のうちのいずれか一項に記載の方法をコンピュータに実施させるプログラムコードを備えるコンピュータ可読媒体を備える、コンピュータプログラム製品。